(57)【特許請求の範囲】
【請求項１】
シート体の長手方向に所定の間隔でミシン目が形成されたウェットティッシュのロール体を収納する収納容器の上面に形成されたウェットティッシュを引き出す引出部と、
上記収納容器の上面に設けられた上記引出部を開閉する蓋体とを備え、
上記引出部は、上記収納容器の上面に形成された突出部と、上記突出部に形成された切離口と、上記切離口の近傍であって、上記切離口より下側に位置するように形成された取出口と、上記切離口と上記取出口との間に上記突出部に連続するように形成されたテーパ部と、上記テーパ部に形成され、上記切離口と上記取出口とを連結する連結口とを有することを特徴とする収納容器。
【発明の詳細な説明】
【技術分野】
【０００１】
本発明は、シート体の長手方向に所定の間隔でミシン目が形成されたウェットティッシュのロール体を収納する収納容器に関する。
【背景技術】
【０００２】
シート体の長手方向に所定の間隔でミシン目が形成されたウェットティッシュのロール体を収納するものとしては、特許文献１のような収納容器がある。特許文献１の収納容器には、収納容器の上面にウェットティッシュを引き出し、かつ、切り離す切離口が形成され、切離口の周囲には、十字形状等の切り込みが設けられている。
【０００３】
特許文献１の収納容器は、周囲に十字形状等の切り込みが設けられた切離口から収納するウェットティッシュを略上方に引き出すとき、引き出されたウェットティッシュが切離口を通過する際に、隣接する切り込みによって形成された切離口の周囲の弾性係合片にウェットティッシュが係合され、係合された状態でさらにウェットティッシュを略上方に引き出すことで、ウェットティッシュに形成されたミシン目の位置でウェットティッシュを切り離すことができる。
【０００４】
しかしながら、特許文献１の収納容器は、ウェットティッシュを略上方に引き出すときにもウェットティッシュと切離口の周囲の弾性係合片とが係合されるため、抵抗を受け、ウェットティッシュを略上方に引き出すには、大きな引き出し力が必要となる。また、特許文献１の収納容器は、切離口に繰り返し大きな引き出し力が加わるため、切離口の周囲の弾性係合片が塑性変形等して、ウェットティッシュに対する係合力が弱まり、ウェットティッシュを切り離し難くなる虞がある。更に、収納するウェットティッシュのロール体を交換するときは、ウェットティッシュの一端部を切離口の内側から外側に向けて露出させるため、ウェットティッシュを切離口に通す必要があるが、切離口の周囲には弾性係合片が設けられ、切離口の穴径が小さいことから手間がかかる。
【０００５】
このような問題点を解決する収納容器として特許文献２がある。特許文献２の収納容器は、ウェットティッシュを引き出す引出部と、引出部を開閉する蓋体とを備え、引出部には、ウェットティッシュを切り離す切離口と、ウェットティッシュを引き出す取出口と、これら切離口と取出口との間をウェットティッシュが移動できるように連結させた連結口とを有している。
【０００６】
特許文献２の収納容器は、ウェットティッシュを引き出すための取出口とウェットティッシュを切り離すための切離口とを別々に備えることによって、取出口の穴径を大きく設けることができ、大きな引き出し力を必要とせずに取出口からウェットティッシュを容易に引き出すことができる。
【０００７】
更に、ウェットティッシュを切り離すときは、ウェットティッシュを取出口から切離口へ連結口を用いて移動させ、ウェットティッシュを切り離すためさらにウェットティッシュを引き出そうとしたとき、ウェットティッシュが切離口を通過する際に隣接する切り込みによって形成された切離口の周囲の弾性係合片に係合され、係合された状態でさらにウェットティッシュを引き出すことで、ウェットティッシュに形成されたミシン目の位置でウェットティッシュを切り離すことができる。
【０００８】
これにより、切離口に加わる引き出し力は、ウェットティッシュをミシン目の位置で切り離すときだけとなり、切離口の周囲の弾性係合片が塑性変形等して、ウェットティッシュに対する係合力が弱まることを防ぐことができる。また、特許文献２の収納容器は、収納するウェットティッシュのロール体を交換するとき、穴径を大きく設けた取出口からウェットティッシュを容易に通すことができ、ウェットティッシュの一端部を取出口の内側から外側に向けて露出させることができるので、ウェットティッシュのロール体の交換を容易に行うことができる。
【０００９】
しかしながら、特許文献２の収納容器は、図４に示すように、ウェットティッシュ１００をミシン目１１０の位置で切り離すためにウェットティッシュ１００を連結口２００を用いて移動させるとき、ウェットティッシュ１００を取出口２１０から切離口２２０の向きに倒すように横方向に引き出す等、取出口２１０から切離口２２０の向きに大きく力を加える必要がある。
【００１０】
このため、特許文献２の収納容器は、特許文献１の収納容器のようにウェットティッシュを略上方に引き出し、かつ、切り離すことに慣れている使用者にとって、特許文献２の収納容器のようにウェットティッシュを切り離すためにウェットティッシュを連結口を用いて移動させるとき、ウェットティッシュを取出口から切離口の向きに倒すように横方向に引き出さなくてはならないのは使い勝手が悪い。
【００１１】
【特許文献１】特開平０８−１０４３７７号公報
【特許文献２】特開平１１−２６３３８４号公報
【発明の開示】
【発明が解決しようとする課題】
【００１２】
本発明では、このような従来の事情に鑑みて提案されたものであり、ウェットティッシュを引き出す取出口からウェットティッシュを切り離す切離口に、取出口と切離口との間を連結させた連結口を用いてウェットティッシュを移動させるとき、ウェットティッシュを略上方に引き出しても取出口から切離口に移動でき使い勝手のよい収納容器を提供することを目的とする。
【課題を解決するための手段】
【００１３】
上述した目的を達成するために本発明に係る収納容器は、シート体の長手方向に所定の間隔でミシン目が形成されたウェットティッシュのロール体を収納する収納容器の上面に形成されたウェットティッシュを引き出す引出部と、上記収納容器の上面に回動可能に設けられ上記引出部を開閉する蓋体とを備える。更に、上記引出部は、上記収納容器の上面に形成された突出部と、上記突出部に形成された切離口と、上記切離口の近傍であって、上記切離口より下側に位置するように形成された取出口と、上記切離口と上記取出口との間に上記突出部に連続するように形成されたテーパ部と、上記テーパ部に形成され、上記切離口と上記取出口とを連結する連結口とを有する。
【発明の効果】
【００１４】
本発明に係る収納容器によれば、切離口と取出口との間には、突出部に連続するようにテーパ部が形成され、このテーパ部に連結口が形成されているため、ウェットティッシュを切り離すためにウェットティッシュを取出口から連結口を用いて切離口に移動させるとき、ウェットティッシュを略上方に引き出しても、テーパ部の斜面と平行な方向、すなわち、取出口から切離口に移動する方向に力が働き、ウェットティッシュを取出口から連結口を用いて切離口に自ずと移動させることができるので、使い勝手が良くなる。
【発明を実施するための最良の形態】
【００１５】
以下、本発明が適用された収納容器１について、図面を参照して説明する。
【００１６】
本発明が適用された収納容器１は、図１に示すように、全体が略円筒形状であり、シート体の長手方向に１回の使用分に対応した間隔でミシン目１１０が形成されたウェットティッシュ１００のロール体を収納する。
【００１７】
ここで、収納容器１に収納されるウェットティッシュ１００のロール体は、紙や不織布等の基布に使用目的に応じて、水、アルコール、除菌剤、防腐剤及び香料等の液体を含浸させたものであり、ウェットティッシュ１００の長手方向に１回の使用分に対応した間隔でミシン目１１０が形成されている。
【００１８】
また、収納容器１は、ウェットティッシュ１００のロール体を収納する収納本体２と、収納本体２の上面に形成された上蓋３と、上蓋３の上面に形成されウェットティッシュ１００を引き出す引出部１０と、引出部１０を開閉するように上蓋３の上面に回動可能に設けられた蓋体２０とを備えている。
【００１９】
このような構成を備える収納容器１は、ポリプロピレン（ＰＰ）、ポリエチレン（ＰＥ）、ポリ塩化ビニル（ＰＶＣ）等の熱可塑性樹脂を用いて射出成形等により成型される。
【００２０】
なお、収納容器１は、全体が略円筒形状に限定されるものではなく、円柱形状、箱形状等に設けてもよい。
【００２１】
更に、収納本体２の上面に形成された上蓋３には、上蓋３の上面の略中央に、蓋体２０が収納される凹部３０が形成されている。凹部３０は、略円形形状であり、凹部３０の略中央に第１の環状壁部３１が形成されている。第１の環状壁部３１には、第１の環状壁部３１の内側に、ウェットティッシュを引き出し、かつ、切り離す引出部１０が形成されている。
【００２２】
引出部１０は、図２に示すように、上蓋３の上面に形成された突出部１１と、突出部１１に形成された切離口１２と、切離口１２の近傍に形成された取出口１３と、切離口１２と取出口１３との間に突出部１１に連続するように形成されたテーパ部１４と、テーパ部１４に切離口１２と取出口１３とを連結する連結口１５とを有している。
【００２３】
また、突出部１１は、第１の環状壁部３１の略中央に形成されている。突出部１１の平坦な頂面には、突出部１１の略中央に、ウェットティッシュ１００を切り離す切離口１２が形成されている。切離口１２の周囲には、ウェットティッシュ１００を引き出すとき切離口１２を通過する際に、ウェットティッシュ１００が係合するように略十字形状の切り込み１６が設けられ、これら隣接する切り込み１６によって弾性係合片１７が形成されている。
【００２４】
なお、切離口１２の周囲の切り込み１６の形状及び本数は、略十字形状に限定されるものでなく、また４本に限定されるものでもなく、切り込み１６によってウェットティッシュ１００と係合する弾性係合片１７が形成でき、ウェットティッシュ１００がミシン目１１０の位置で切り離しやすくなるようなものであればよい。また、切離口１２の周囲は、ウェットティッシュ１００を引き出すとき切離口１２を通過する際に、切離口１２の周面にウェットティッシュ１００が圧接され、ウェットティッシュ１００がミシン目１１０の位置で切り離せるような小径の切離口１２であれば、切離口１２だけでも良い。
【００２５】
更に、切離口１２の近傍には、突出部１１に形成された切離口１２より下側に位置するようにウェットティッシュ１００を引き出す取出口１３が形成されている。具体的には、取出口１３は、凹部３０の底面から切離口１２が形成された突出部１１の頂面に連続するようにテーパ部１４が形成され、このテーパ部１４の凹部３０の底面側に形成されている。また、取出口１３は、切離口１２よりも穴径が大きく設けられており、さらにウェットティッシュ１００を引き出すとき、大きな引き出し力を必要とせずに、ウェットティッシュを容易に引き出すことができる程度の大きさに設けられている。
【００２６】
また、テーパ部１４には、切離口１２と取出口１３とを連結し、切離口１２と取出口１３との間をウェットティッシュ１００が移動できるような連結口１５が形成されている。切離口１２と取出口１３とを連結する連結口１５は、スリット形状に設けられ、突出部１１に形成された略十字形状の一の切り込み１６ａと連続している。また、スリット形状に設けられた連結口１５は、ウェットティッシュ１００が略上方に引き出されるときに、ウェットティッシュ１００に軽く係合されるようなスリット幅に設けられている。更に、連結口１５と切離口１２との境界部には、ウェットティッシュが切離口１２から連結口１５に挿入しやすくなり、取出口１３と切離口１２との間を移動しやすくなるように、略円弧形状にガイド面１８ａが形成されている。また、連結口１５と取出口１３との境界部には、ウェットティッシュ１００が取出口１３から連結口１５に挿入しやすくなり、取出口１３と切離口１２との間を移動しやすくなるように、略円弧形状にガイド面１８ｂが形成されている。
【００２７】
また、引出部１０を開閉する蓋体２０は、図１に示すように、薄板形状であり、上蓋３の上面に回動支持部２１により回動可能に設けられている。回動支持部２１は、熱可塑性樹脂を用いて射出成形等により上蓋３と一連一体に成型し、直線的に薄肉に形成されている。
【００２８】
なお、回動支持部２１は、上蓋３と一連一体に成型するものに限定されるものでなく、回動軸を用いて回動可能に支持するように設けてもよい。
【００２９】
また、引出部１０を開閉する蓋体２０は、閉塞したとき、図示はしないが、凹部３０との間に間隙部を有して収納される。更に、蓋体２０には、自由端側に指掛部２０ａが形成されている。蓋体２０が引出部１０を閉塞するとき指掛部２０ａが臨む上蓋３の上面には、指掛用凹部３２が形成されている。指掛部２０ａが臨む指掛用凹部３２は、指掛部２０ａを間隙部を有して収納できるような幅で上蓋３の回動支持部２１の自由端側の外周壁と凹部３０とを連結させ、蓋体２０の指掛部２０ａの裏面と指掛用凹部３２との間に指を引っ掛けて蓋体２０を回動させて引出部１０を開放できるような深さに形成されている。
【００３０】
更に、蓋体２０が引出部１０を閉塞するとき蓋体２０の回動支持部２１が臨む上蓋３の上面には、回動支持部用凹部３３が形成されている。回動支持部２１が臨む回動支持部用凹部３３は、回動支持部２１を間隙部を有して収納できるような幅で上蓋３の回動支持部２１側の外周壁と凹部３０とを連結させ、蓋体２０の回動支持部２１が上蓋３の上面からはみ出さないような深さに形成されている。
【００３１】
更に、蓋体２０には、引出部１０に臨む裏面に第２の環状壁部２２が形成されている。第２の環状壁部２２は、蓋体２０が引出部１０を閉塞したとき、収納容器１の引出部１０の周囲に形成された第１の環状壁部３１の外周面と嵌合する。これにより、蓋体２０が引出部１０を閉塞したときは、収納容器１の第１の環状壁部３１の外周面と蓋体２０の第２の環状壁部２２の内周面とで嵌合し、密閉することができ、収納容器１に収納するウェットティッシュ１００に含侵された液体が揮発するのを防ぐことができる。
【００３２】
なお、第１の環状壁部３１と第２の環状壁部２２は、第１の環状壁部３１の内周面と第２の環状壁部２２の外周面とで嵌合されるように形成してもよい。
【００３３】
次に、以上のように構成された収納容器１のウェットティッシュ１００の引き出し方法について説明する。
【００３４】
先ず、図１に示すように、ウェットティッシュ１００を使用するときは、上蓋３の上面に形成された指掛用凹部３２と蓋体２０に形成された指掛部２０ａの裏面との間に指を入れる等して、上蓋３の第１の環状壁部３１と蓋体２０の第２の環状壁部２２との嵌合状態を外し、蓋体２０を回動させて引出部１０を開放する。このとき、ウェットティッシュ１００の端部が切離口１２から露出し、切離口１２の周囲の弾性係合片１７に係合されている。
【００３５】
次に、切離口１２より露出し、切離口１２の周囲の弾性係合片１７に係合されているウェットティッシュ１００の端部を掴み、連結口１５を用いて切離口１２から取出口１３に移動させる。このとき、連結口１５と切離口１２との境界部にはガイド面１８ａが形成されているので、ウェットティッシュが切離口１２から連結口１５に挿入しやすく、取出口１３と切離口１２との間を移動しやすくなっている。
【００３６】
次に、図３に示すように、取出口１３を用いて、所望の枚数のウェットティッシュ１００を略上方に引き出しながら取出口１３から切離口１２へウェットティッシュ１００を移動させる。このとき、取出口１３は、大きな引き出し力を必要とせずにウェットティッシュ１００を引き出すことができる程度の大きさに設けられているので、ウェットティッシュ１００を容易に略上方に引き出すことができる。
【００３７】
更に、切離口１２と取出口１３との間には、突出部１１に連続するようにテーパ部１４が形成され、テーパ部１４には、切離口１２と取出口１３とを連結する連結口１５が形成され、連結口１５は、スリット形状に設けられ、スリット形状に設けられた連結口１５は、ウェットティッシュ１００が略上方に引き出されるときに、ウェットティッシュ１００に軽く係合されるようなスリット幅に設けられているので、ウェットティッシュ１００を図３中の矢印Ｆ方向のように略上方に引き出すと、取出口１３から連結口１５に挿入したウェットティッシュ１００がスリット形状に形成された連結口１５に軽く係合され、このため、ウェットティッシュ１００と連結口１５の接触点に、この引き出し力により、テーパ部１４の斜面と平行な方向、すなわち、図３中の矢印ｆ１方向のように取出口１３から切離口１２に移動する方向に力が働く。これらにより、ウェットティッシュ１００を略上方に引き出しても、ウェットティッシュ１００を取出口１３から連結口１５を用いて切離口１２に自ずと移動することができ、使い勝手が良くなる。
【００３８】
また、連結口１５と取出口１３との境界部には略円弧形状にガイド面１８ｂが形成されているので、ウェットティッシュが取出口１３から連結口１５に挿入しやすくなっており、さらにテーパ部１４の斜面上に取出口１３が設けられていることで、最上部のウェットティッシュ１００を略上方に引き出すときから力が働き、ウェットティッシュは移動することができる。
【００３９】
次に、略上方に引き出しながら取出口１３から切離口１２まで移動してきたウェットティッシュ１００は、切離口１２でさらに略上方に引き出すことでウェットティッシュ１００のミシン目１１０の位置で切り離せる。このとき、取出口１３から切離口１２まで移動してきたウェットティッシュ１００を切り離すためさらに略上方に引き出すとき、ウェットティッシュ１００が切離口１２を通過する際に隣接する切り込み１６によって形成された切離口１２の周囲の弾性係合片１７に係合され、係合された状態でさらにウェットティッシュ１００を略上方に引き出すことで、ウェットティッシュ１００に形成されたミシン目１１０の位置でウェットティッシュ１００を切り離すことができる。
【００４０】
次に、引き出した後に保管するときは、蓋体２０で引出部１０を閉塞しておく。これにより、上蓋３と蓋体２０は、上蓋３の第１の環状壁部３１の外周面と蓋体２０の第２の環状壁部２２の内周面とで嵌合し、密閉することができ、収納容器１に収納するウェットティッシュ１００に含侵された液体が揮発するのを防ぐことができる。
【００４１】
次に、収納容器１に収納するウェットティッシュ１００のロール体を使い尽くし、収納するウェットティッシュ１００のロール体を交換するときは、新たなウェットティッシュ１００のロール体を収納容器１に収納した後、ウェットティッシュ１００の一端部を取出口１３の内側から外側に向けて露出させるとき、取出口１３は、穴径がウェットティッシュを引き出すとき大きな引き出し力を必要とせずにウェットティッシュ１００を容易に引き出すことができる程度の大きさに設けられているので、ウェットティッシュ１００は、取出口１３を容易に通すことができ、ウェットティッシュ１００のロール体の交換が容易にできる。
【００４２】
以上のように構成された収納容器１は、ウェットティッシュ１００を引き出すための取出口１３とウェットティッシュ１００を切り離すための切離口１２とを別々に備えているため、取出口１３の穴径を大きく設けることができ、ウェットティッシュ１００を略上方に引き出すとき、大きな引き出し力を必要とせずにウェットティッシュ１００を容易に引き出すことができる。
【００４３】
また、収納容器１は、切離口１２に加わる引き出し力が、ウェットティッシュ１００をミシン目１１０の位置で切り離すときだけとなり、切離口１２の周囲の弾性係合片１７が塑性変形等して、ウェットティッシュに対する結合力が弱まることを防ぐことができる。
【００４４】
更に、収納容器１は、ウェットティッシュ１００を略上方に引き出すと、取出口１３から連結口１５に挿入したウェットティッシュ１００がスリット形状に形成された連結口１５に軽く係合され、このため、ウェットティッシュ１００と連結口１５の接触点に、この引き出し力により、テーパ部１４の斜面と平行な方向、すなわち、取出口１３から切離口１２に移動する方向に力が働く。これらにより、収納容器１は、ウェットティッシュ１００を略上方に引き出しても、ウェットティッシュ１００が取出口１３から連結口１５を用いて切離口１２に自ずと移動することができるので、特許文献１の収納容器のようにウェットティッシュを略上方に引き出し、かつ、切り離すことに慣れている使用者にとっても使い勝手がよい。
【００４５】
また、収納容器１は、収納するウェットティッシュ１００のロール体を交換するとき、新たなウェットティッシュ１００の一端部を取出口１３から露出させるとき、取出口１３は、穴径がウェットティッシュを引き出すとき大きな引き出し力を必要とせずにウェットティッシュ１００を容易に引き出すことができる程度の大きさに設けられているので、ウェットティッシュ１００は、取出口１３を容易に通すことができ、ウェットティッシュ１００のロール体の交換が容易にできる。
【図面の簡単な説明】
【００４６】
【図１】本発明を適用した収納容器の斜視図である。
【図２】本発明を適用した収納容器の引出部の要部斜視図である。
【図３】ウェットティッシュが取出口から連結口を用いて切離口に移動する状態を示した縦断面図である。
【図４】従来の収納容器のウェットティッシュが取出口から連結口を用いて切離口に移動する状態を示した縦断面図である。
【符号の説明】
【００４７】
１  収納容器、２  収納本体、３  上蓋、１０  引出部、１１  突出部、１２  切離口、１３  取出口、１４  テーパ部、１５  連結口、１６  切り込み、１６ａ  切り込み、１７  弾性係合片、１８ａ  ガイド面、１８ｂ  ガイド面、２０  蓋体、２０ａ  指掛部、２１  回動支持部、２２  第２の環状壁部、３０  凹部、３１  第１の環状壁部、３２  指掛用凹部、３３  回動支持部用凹部、１００  ウェットティッシュ、１１０  ミシン目、２００  連結口、２１０  取出口、２２０  切離口
【図１】
0004777086.tif 000002
【図２】
0004777086.tif 000003
【図３】
0004777086.tif 000004
【図４】
0004777086.tif 000005